(57)【要約】【課題】繰出用バルブの位置を低くした穀物乾燥機であっても、比較的容易に、かつ、安価に穀物排出方向を前後方向に切り換えることが可能な穀物乾燥機を提供することを目的とする。【解決手段】ファンボックス及び吸引ファンを乾燥機本体の背面側に、バーナボックス及び繰作部を同背面側に互いに組み替え可能とすべく、前記ファンボックスの一側寄りに前記吸引ファンの装着用開口部を設け、かつ、該ファンボックスは前記バケットエレベータと乾燥機本体との間隙に介在可能な奥行寸法となし、さらに、該ファンボックス下側縁の側中央にバルブ用モータを回避するための凹部を形成する【選択図】図６
2015161495.tif 000002
【特許請求の範囲】
【請求項１】
一端側をバーナボックスと連通する熱風室を挟んで、穀物が流下する一対の乾燥室を互いに内側に傾斜させて下端部を合流させるとともに各乾燥室の外側にはそれぞれ排風室を設け、前記一対の乾燥室下端合流部には穀物を繰出すためのバルブを設け、該バルブの直下には下部スクリューコンベアを配設することによって乾燥機本体を構成し、該乾燥機本体に上載して穀物貯留部を設け、さらに、前記下部スクリューコンベアによって搬送される穀物を前記穀物貯留部へ還流させるためのバケットエレベータと繰作部を設けるとともに前記熱風室の他端側に連通する矩形のファンボックス及び吸引ファンを設けてなる穀物乾燥機であって、前記乾燥機本体の前面側には前記バケットエレベータ、前記バーナボックス、前記繰作部、及び前記バルブを駆動させるバルブ用モータを設けるとともに、前記バルブ用モータは前記バルブの軸より上方に設ける一方、背面側には前記ファンボックス及び吸引ファンを設けた穀物乾燥機において、
前記ファンボックス及び吸引ファンを前記前面側に、前記バーナボックス及び前記繰作部を背面側に互いに組み替え可能とすべく、前記ファンボックスの一側寄りに前記吸引ファンの装着用開口部を設け、かつ、該ファンボックスは前記バケットエレベータと乾燥機本体との間隙に介在可能な奥行寸法となし、さらに、該ファンボックス下側縁の中央に前記バルブ用モータを回避するための凹部を形成することを特徴とする穀物乾燥機。
【請求項２】
前記ファンボックスを前記前面側に設ける場合は、前記凹部を密閉すべく前記凹部に前記凹部と相似形のカバーを装着してなる請求項１の穀物乾燥機。
【請求項３】
前記ファンボックスを前記背面側に設ける場合は、前記凹部を密閉すべく前記凹部に前記凹部を覆い隠すL字形のカバーを装着してなる請求項１の穀物乾燥機。
【発明の詳細な説明】
【技術分野】
【０００１】
本発明は、熱風により穀物を乾燥させる循環式の穀物乾燥機に係り、特に、穀物の排出方向を該穀物乾燥機の前面側と背面側とに比較的容易に切り替えることのできる穀物乾燥機に関する。
【背景技術】
【０００２】
この種の穀物乾燥機は周知であり（例えば、特許文献１）、熱風室の両側に、穀物を流下させるための一対の穀物乾燥室を設けるとともに、前記各乾燥室の外側には前記乾燥室を通過した熱風を排風するための排風室をそれぞれ設け、前記乾燥室下端部には断続的に穀物を繰出すためのロータリバルブ等を設け、該バルブの下方には下部スクリューコンベアを配設することによって乾燥機本体を構成し、該乾燥機本体に上載して穀物貯留部を設け、さらに、前記下部スクリューコンベアによって搬送される穀物を前記穀物貯留部へ還流させるためのバケットエレベータ（昇降機）が立設される。通常、前記熱風室へ供給する熱風を生成するためのバーナ等を内蔵するバーナボックス、運転操作部及び前記バケットエレベータを該穀物乾燥機の前面側に配置するとともに、同背面側に前記排風室に連通するファンボックス及び吸引ファンを設ける。そして、該穀物乾燥機は、通常、農舎の入口側に前記前面側を位置させて組付・設置される。
【先行技術文献】
【特許文献】
【０００３】
【特許文献１】実開平５-６６４９７号公報
【０００４】
ところで、該穀物乾燥機を設置する農舎の都合等により、乾燥終了後の穀物の排出を穀物乾燥機の背面側から行わざるを得ない場合があり、このような場合にはバケットエレベータを背面側に位置させる必要がある。特許文献1においては、バケットエレベータを取り外して背面側に付け替えるとともに、乾燥部から落下する穀物をバケットエレベータ下部の供給口へ搬送する下部スクリューコンベアを軸受部とともに該穀物乾燥機から抜き出した後、穀物を前記バケットエレベータ側へ搬送すべく、前記下部スクリューコンベアの搬送方向前後を入れ替えて再度、穀物乾燥機内へ装着し直すものである。
【０００５】
このように、バケットエレベータ及び下部スクリューコンベアを限られた面積の農舎において脱着することは極めて煩わしい作業を伴う。そこで、該穀物乾燥機自体を、その底面に設けたキャスタによって１８０度回動させることによってその前後面を入れ換えるとともに、バーナボックスと操作部を前面側に、吸引ファンとそれを取り付けるファンボックスを排風ファンと共に背面側に、それぞれ付け替えることが考えられる。
【０００６】
一方、穀物乾燥機は可能な限りその高さを低くして農舎に格納しやすくするため、穀物貯留部を載置する乾燥機本体をできるだけ低くする必要があり、そのため、一対の穀物乾燥室の下端を合流させ、この合流部に繰出用バルブを設けることによって前記繰出用バルブの位置を可能な限り低くすることが考えられる。これにより、熱風室及び排風室の位置も低くすることができ、穀物貯留部を載置する乾燥機本体の高さを低くすることが可能となる。
【０００７】
しかしながら、前記繰出用バルブを低くすることによって、該バルブをチェーン等によって駆動させるバルブ用モータを前記繰出用バルブの下方に設ける余地がなくなり、前記バルブよりも上方に配置させざるを得ず、そのため、前記ファンボックスを穀物乾燥機の前面側に入れ替えた際、該ファンボックスの下側縁が前記バルブ用モータに接触することによって該ファンボックスが装着できない虞が生じる。この場合、前記繰出用バルブの回転軸に直結するギアドモータ等を採用することも選択可能であるが、その場合はコスト高を招くことになる。
【発明の概要】
【発明が解決しようとする課題】
【０００８】
そこで、本発明は、前記問題点にかんがみ、繰出用バルブの取付位置を低くした穀物乾燥機であっても、比較的容易に、かつ、安価に穀物排出方向を前後方向に切り替えることが可能な穀物乾燥機を提供することを目的とする。
【課題を解決するための手段】
【０００９】
上記目的を達成するため、本発明は、
一端側をバーナボックスと連通する熱風室を挟んで、穀物が流下する一対の穀物乾燥室を互いに内側に傾斜させて下端部を合流させるとともに前記各穀物乾燥室の外側にはそれぞれ排風室を設け、前記一対の穀物乾燥室下端合流部には穀物を繰出すためのバルブを設け、該バルブの直下には下部スクリューコンベアを配設して乾燥機本体を構成し、前記乾燥機本体に上載して穀物貯留部を設け、さらに、前記下部スクリューコンベアによって搬送される穀物を前記穀物貯留部へ還流させるためのバケットエレベータと繰作部を設けるとともに、前記熱風室の他端側に連通する矩形のファンボックス及び吸引ファンを設けてなる穀物乾燥機であって、前記乾燥機本体の前面側には前記バケットエレベータ、前記バーナボックス、前記繰作部、及び前記バルブを駆動させるバルブ用モータを設けるとともに、前記バルブ用モータは前記バルブの軸より上方に設ける一方、前記乾燥機本体の背面側には前記ファンボックス及び吸引ファンを設けた穀物乾燥機において、
前記ファンボックス及び吸引ファンを前記前面側に、前記バーナボックス及び前記繰作部を背面側に互いに組み替え可能とすべく、前記ファンボックスの一側寄りに前記吸引ファンの装着用開口部を設け、かつ、該ファンボックスは前記バケットエレベータと乾燥機本体との間隙に介在可能な奥行寸法となし、さらに、該ファンボックス下側縁の中央に前記バルブ用モータを回避するための凹部を形成することを特徴とする
【００１０】
本発明は、前記ファンボックスを背面側に設けた場合、前記凹部には該凹部の垂直面及び底面を覆う断面L字形のカバーを装着する一方、前記ファンボックスを前面側に設ける場合は前記凹部の底面を覆う山形カバーを装着することが好ましい。
【発明の効果】
【００１１】
本発明によれば、穀物の排出方向を穀物乾燥機の前面側から背面側に切り替えて行う際、穀物乾燥機全体を回動させてバケットエレベータを背面側に位置させるとともに、バーナボックス及び繰作部と、ファンボックス及び吸引ファンとを互いに入れ替えて組み付けた場合であっても、ファンボックスに形成した凹部によってバルブ用モータを回避することができ、繰出用バルブの取付位置を下げて乾燥機本体を比較的低く構成した穀物乾燥機であっても、前面側のバーナボックス及び繰作部と、背面側のファンボックス及び吸引ファンとの組替えを比較的容易に実施することが可能となる。
【図面の簡単な説明】
【００１２】
【図１】本発明の穀物乾燥機の正面側斜視図。
【図２】図1の背面側斜視図。
【図３】図1及び図2における穀物乾燥機のバーナ部及び繰作ボックスと、ファンボックス及び吸引ファンとを互いに入れ替えて組み付けた場合の斜視図。
【図４】図1及び図2における穀物乾燥機の前面側を一部拡大した側面図。
【図５】本発明の穀物乾燥機の正断面図。
【図６】本発明の穀物乾燥機におけるファンボックスの斜視図。
【図７】本発明のファンボックスにおける凹部に装着する山形カバーの斜視図。
【発明を実施するための形態】
【００１３】
本発明の実施の形態について説明する。
本発明の実施の形態における穀物乾燥機１は、穀物を貯留する穀物タンク２を上部に、その下部に熱風室４、排風室５及び乾燥室６を有する乾燥機本体３を設けてなる。そして、図1及び図２に示すように、該穀物乾燥機１の前面側には繰作部７とバーナボックス８が一体的に設けられ、それらに隣接してバケットエレベータ９が立設される。
【００１４】
次に、本発明の実施の形態の穀物乾燥機における乾燥機本体３について説明する。
図５において、前記穀物タンク２の下部に接続する一対の穀物乾燥室６が、互いに内側に傾斜して下端部を合流させて形成される。該穀物乾燥室６は通風可能な多孔板で形成される。穀物乾燥室６の下端合流部には前記穀物乾燥室６内の穀物を断続的に繰出すための長尺状のロータリバルブ１０が横設される。また、前記ロータリバルブ１０の下方には漏斗状の集穀板１１が設けられ、該集穀板１１の底部であって前記ロータリバルブ１０の直下には下部スクリューコンベア１２が横設される。
なお、前述のように、一対の穀物乾燥室６を互いに内側に傾斜させ、各下端部を合流させてロータリバルブ１０を設け、前記ロータリバルブ１０の直下に前記下部スクリューコンベア１２を設けることにより、各穀物乾燥室６の下端部にそれぞれロータリバルブ１０を設ける場合に比して乾燥機本体３の高さを比較的小さくすることができ、穀物乾燥機の全高を低く構成することができる。
【００１５】
前記一対の穀物乾燥室６で囲繞された内側の空間を前記熱風室４となし、該熱風室４の一端側、すなわち、前記乾燥機本体３の前面側にはバーナボックス８と繰作部７が一体的にボルト等によって着脱可能に設けられ、前記バーナボックス８内には熱風を生成するためのバーナ、バーナファン、電磁弁等（図示せず。）が配設される。他方、前記熱風室４の他端側、すなわち、前記乾燥機本体３の背面側には該背面側端部を閉塞するためのカバー（図示せず）が装脱可能に設けられる。また、前記バーナボックス８の下方には前記ロータリバルブ１０のバルブ軸に軸着するスプロケット（図示せず。）を設け、前記スプロケットと前記バーナボックス８底面との間には前記スプロケットとチェーンによって連結するバルブ用モータ１３が設けられる。
【００１６】
前記一対の穀物乾燥室６の各外側はそれぞれ排風室５となし、各排風室５の一端側、すなわち、前記乾燥機本体３の背面側にはそれぞれ排風口１４を開口してあり、これら一対の排風口１４を覆うように矩形状のファンボックス１５がボルト等によって着脱可能に設けられる。他方、前記各排風室５の他端側、すなわち、前記乾燥機本体３の前面側には前記各排風室５の他端部を閉塞するためのカバー（図示せず）が装脱可能に設けられる。また、図６に示すように、前記ファンボックス１５の左右側の一側寄りには、吸引ファン１７を装着するための円形のファン取付用開口１６が設けられる。前記吸引ファン１７の吐出口には排風ダクト１８が接続される。
【００１７】
前記ファンボックス１５下側縁１５aの中央には、該ファンボックス１５を乾燥機本体３の前面側に装着した際に前記バルブ用モータ１３を回避するための凹部１９を形成する。図示した凹部１９は台形状であるが、前記バルブ用モータ１３を回避できれば半円形状等でもよい。そして、該ファンボックス１５を乾燥機本体３の背面側に装着する際は、前記凹部１９には前記下側縁１５aと直線状になるような底面２０aとこれに直角な垂直面２０bとからなる断面がL字状のL字状カバー２０をボルト等によって着脱可能に装着して密閉する。一方、前記ファンボックス１５を乾燥機本体３の前面側に装着する場合、すなわち、ファンボックス１５及び吸引ファン１７と、バーナボックス８及び繰作部７とを互いに入れ替えて組み直す場合は、前記ファンボックス１５の下側縁１５aが前記バルブ用モータ１３に接触しないように、前記凹部１９のL字状カバー２０をファンボックス１５下側縁１５aから取り外すとともに、前記凹部１９の底面と相似形の山形カバー２１を装着して密閉する。前記山形カバー２１には凹部１９に装着するためのフランジ部２１aを形成する。また、前記ファンボックス１５の奥行寸法Lは、該ファンボックス１５を乾燥機本体３の前面側に装着する際、前記乾燥機本体３と前記バケットエレベータ９との間隙に介在させるため、前記間隙の寸法以下とする。
【００１８】
前記バケットエレベータ９の下部供給部は前記下部スクリューコンベア１２に連結するとともに、その上部吐出部は前記穀物タンク２の上端部に横設した上部スクリューコンベア２２の搬送始端側に連結し、前記ロータリバルブ１０から落下する穀物が前記下部スクリューコンベア１２によって前記バケットエレベータ９に投入されて揚穀され、上部スクリューコンベア２２によって搬送されるとともに、前記穀物タンク２の中央部に垂設された分散装置２３によって穀物タンク２内へ還流し、連続状に循環されるよう構成される。
なお、前記バケットエレベータ９、下部スクリューコンベア１２、上部スクリューコンベア２２及び分散装置２３は、乾燥機本体３の底部に配置した駆動モータ２４が前記下部スクリューコンベア１２の軸に軸着されたプーリ（図示せず）と連動連結されることによって駆動される。
【００１９】
本発明の実施の形態における穀物乾燥機1において、バケットエレベータ９を図1及び図２の位置（前面側）から図３における位置（背面側）に組み替える際は、乾燥機本体３の底部に設けたキャスタ（図示せず）によって穀物乾燥機1全体を１８０度回動させた後、ファンボックス１５を吸引ファン１７と共に乾燥機本体３から取り外す一方、バーナボックス８及びこれと一体的な繰作部７を乾燥機本体３から取り外す。そして、互いを入れ替えるべく、ファンボックス１５をバケットエレベータ９と乾燥機本体３との間隙に挿通させて乾燥機本体３に固着する一方、バーナボックス８及び繰作部７を前記ファンボックス１５が装着されていた箇所に固着する。
なお、前述の組替え作業に際しては、熱風室４端部にあって熱風の吹き抜けを塞き止める前記カバー、及び各排風室５端部の開口を塞ぐ前記カバーを取り外して、前記熱風室４及び前記排風室５の各反対側の端部にそれぞれ装着する。これにより、組替え後のファンボックス１５内に開口する熱風室４端部から熱風が吹き抜けることがなく、また、組替え後のバーナボックス８の両側に開口する排風室５端部から外気が導入することがない。
【００２０】
前記ファンボックス１５を装着する際、ファンボックス１５の凹部１９を覆っているL字状カバー２０を取り外し、それに代えて山形カバー２１を装着する。これにより、ロータリバルブ１０を駆動するバルブ用モータ１３を前記凹部内に位置させることができ、ロータリバルブ１０を低い位置に設けた穀物乾燥機１であっても、前記ファンボックスの下側縁１５aが前記ロータリバルブ１０と接触することがない。
なお、前述のような穀物排出方向の前後の切替えを要さない場合、前記ファンボックス１５の凹部１９には、比較的コストの安い前記L字状カバー２０を標準として装着しておくことが好ましい。
【００２１】
また、吸引ファン１７は、ファンボックス１５の左右側の一側寄りに装着されるので、吸引ファン１７とバケットエレベータ９とが接触することがない。さらに、背面側（反バケットエレベータ側）において前記ファンボックス１５を１８０度回動させて装着することにより、吸引ファン１７の取付け位置を左右方向に変更できる。
【産業上の利用可能性】
【００２２】
本発明の穀物乾燥機は、穀物の排出方向を前後方向に切り替えられるものであり、極めて有用である。
【符号の説明】
【００２３】
１    穀物乾燥機
２    穀物タンク
３    乾燥機本体
４    熱風室
５    排風室
６    穀物乾燥室
７    繰作部
８    バーナボックス
９    バケットエレベータ
１０  ロータリバルブ
１１  集穀板
１２  下部スクリューコンベア
１３  バルブ用モータ
１４  排風口
１５  ファンボックス
１６  ファン取付用開口
１７  吸引ファン
１８  排風ダクト
１９  凹部
２０  L字状カバー
２１  山形カバー
２２  上部スクリューコンベア
２３  分散装置
２４  駆動モータ
【図１】
2015161495.tif 000003
【図２】
2015161495.tif 000004
【図３】
2015161495.tif 000005
【図４】
2015161495.tif 000006
【図５】
2015161495.tif 000007
【図６】
2015161495.tif 000008
【図７】
2015161495.tif 000009